(57)【要約】【課題】建物の不等沈下を効果的に抑制することができる地盤の液状化対策方法を提供する。【解決手段】建物の周囲を囲むように地盤に溝を掘る段階と、溝内に所定の長さの第１丸太を２列に打設する段階と、第１丸太の頭部を長さ方向と幅方向にロープで連結する段階と、第１丸太４本で囲まれる区画の内側に第１丸太より長い第２丸太を打設する段階と、溝に土を埋戻して締め固める段階と、が備えられる。【選択図】図２
2014125811.tif 000002
【特許請求の範囲】
【請求項１】
建物の周囲を囲むように地盤に溝を掘る段階と、
前記溝内に所定の長さの第１丸太を２列に打設する段階と、
前記第１丸太の頭部を長さ方向と幅方向にロープで連結する段階と、
前記第１丸太４本で囲まれる区画の内側に前記第１丸太より長い第２丸太を打設する段階と、
前記溝に土を埋戻して締め固める段階と、が備えられることを特徴とする地盤の液状化対策方法。
【請求項２】
前記第１丸太の頭部がロープで連結される段階は、斜め方向にも交差するようにロープが掛け渡され、前記第２丸太を打設する段階では、前記第１丸太４本で囲まれる区画の内側に複数の第２丸太が打設されることを特徴とする請求項１に記載の地盤の液状化対策方法。
【発明の詳細な説明】
【技術分野】
【０００１】
本発明は、地盤の液状化対策方法に係り、より詳しくは、第１丸太と第２丸太を建物の周囲を囲むように地盤に打設することにより、地盤が液状化しても建物が沈下しないようにできる地盤の液状化対策方法に関する。
【背景技術】
【０００２】
特許文献１には、地上に建つ構造物の周囲を取り囲むように地盤に鋼矢板を打設し、液状化による建物の沈下を防止することが記載されている。鋼矢板は支持地盤に届く長さとし、鋼矢板の頭部には、リング状の拘束構造体が掛け渡される。ところで、一戸建て住宅の地盤改良では、液状化対策にかかるコスト面の改善が強く求められている。丸太は、鋼矢板に比較してコスト面とハンドリングの良さで優れており、鋼矢板に代えて丸太による液状化対策が望まれる。
【先行技術文献】
【特許文献】
【０００３】
【特許文献１】特開２００２−１６７７７８号公報
【発明の概要】
【発明が解決しようとする課題】
【０００４】
本発明の目的は、建物の不等沈下を効果的に抑制することができる地盤の液状化対策方法を提供することにある。
【課題を解決するための手段】
【０００５】
本発明による地盤の液状化対策方法は、建物の周囲を囲むように地盤に溝を掘る段階と、前記溝内に所定の長さの第１丸太を２列に打設する段階と、前記第１丸太の頭部を長さ方向と幅方向にロープで連結する段階と、前記第１丸太４本で囲まれる区画の内側に前記第１丸太より長い第２丸太を打設する段階と、前記溝に土を埋戻して締め固める段階と、が備えられることを特徴とする。
【０００６】
前記第１丸太の頭部がロープで連結される段階は、斜め方向にも交差するようにロープが掛け渡され、前記第２丸太を打設する段階では、前記第１丸太４本で囲まれる区画の内側に複数の第２丸太が打設されることを特徴とする。
【発明の効果】
【０００７】
本発明の地盤の液状化対策方法によれば、（ａ）溝内に所定の長さの第１丸太を２列に打設する段階と、第１丸太の頭部を長さ方向と幅方向にロープで連結する段階と、第１丸太４本で囲まれる区画の内側に第１丸太より長い第２丸太を打設する段階と、を設けて、第２丸太と第１丸太で液状化地盤の上部を建物を囲むように締め固めたので、地盤が液状化した時、丸太の頭部が建物の重量で押圧され外側に傾き、建物が沈下してしまうことを抑制できる。（ｂ）また、第２丸太の上部の地盤は、第１丸太と共に締め固められているので、第２丸太は傾くことがなく液状化対策地盤の流動性を抑止できる。（ｃ）丸太を建物の周囲の地盤に２列で打設するので、建物を建てた後からでも工事ができる。塀と建物の基礎との間隔が５０ｃｍ〜１ｍと狭い場所であっても工事ができる。（ｄ）第１丸太の頭部をロープで連結し固定したので、後から第２丸太を打設する際に第１丸太が逃げることがなく、第２丸太の頭部の地盤を密に締め固めることができる。（ｅ）溝は後に埋め戻され、丸太は地下水位面の中で空気に触れないから腐朽しない。（ｆ）丸太の間は、間隔をあけて打設されるので、第２丸太で囲った内部に水が溜り地下水の流れを抑止することがない。
【０００８】
第１丸太は、斜め方向にも交差するようにロープが掛け渡され、複数の第２丸太を第１丸太４本で囲まれる区画の内側に打設したので、短い４本の丸太の中央に第２丸太を１本打設する場合に比較して、第１丸太の間隔が同じなら、地盤をより締め固めることができる。
【図面の簡単な説明】
【０００９】
【図１】本発明による地盤の液状化対策方法の説明図である。
【図２】本発明による地盤の液状化対策方法のフローチャートである。
【図３】本発明による丸太の打設配置図（例１）である。（Ａ）は斜視図、（Ｂ）は平面図である。
【図４】本発明による丸太の打設配置図（例２）である。（Ａ）は斜視図、（Ｂ）は平面図である。
【図５】丸太を建物の周囲を囲むように打設した場合の外観図である。
【発明を実施するための形態】
【００１０】
以下、図面を参照して、本発明による地盤の液状化対策方法を説明する。
【実施例】
【００１１】
図１は、本発明による地盤の液状化対策方法の説明図であり、図２は、本発明による地盤の液状化対策方法のフローチャートである。Ｓ１〜Ｓ５は、段階（手順）を示す。図１と図２に示すように、Ｓ１は、建物の周囲を囲むように、塀と住宅基礎の間の地盤に溝４を掘る段階である。Ｓ２は、溝４内に所定の長さの第１丸太１を２列に打設する段階である。Ｓ３は、第１丸太１の頭部を長さ方向と幅方向にロープ３で連結する段階である。Ｓ４は、第１丸太１の４本で囲まれる区画の内側に第１丸太１より長い第２丸太２を打設する段階である。Ｓ５は、溝４に土を埋戻して締め固める段階である。第１丸太１は短い丸太、第２丸太２は長い丸太である。
【００１２】
塀と建物の基礎との間隔が狭いので人力でも扱い可能な丸太を使用する。所定の長さの第１丸太１と、これより長い第２丸太２を使用し、第２丸太２で地盤下部に流動性を抑止する。第２丸太２の上部の周囲を第１丸太１で固めることで、第２丸太２の頭部のせん断力変形（水平外側方向への変形）を抑止する。第１丸太１は径が８〜１２ｃｍ、長さが１〜２ｍとし、２列に打設した時、一辺が４０ｃｍ程度の方形配置とする。なお、溝４の表面から第１丸太１の頭部を２０ｃｍ程度気中に残して打設する。第１丸太１の頭部をロープ３で連結する。
【００１３】
第２丸太２は、径が１２〜２０ｃｍ、長さが３〜６ｍである。このように第１丸太１より長く、径の大きな第２丸太２は、液状化対策地盤の深さとする長さを有することが望ましい。ただし、第２丸太２の長さが非液状化地盤に達しない長さでも、液状化対策地盤の横方向の流動性を抑えられる長さなら問題はない。第２丸太２の上部には直接建物の重量はかからない。第２丸太２を第１丸太４本で囲まれる方形の区画の内側に打設することで、第１丸太１で囲まれた地盤の密度を確実に実密化できる。つまり、第２丸太２の頭部が密締めされた地盤となる。このような密締めされた地盤から下方に伸びる第２丸太２は、固定度が増す。このような第２丸太２は、液状化対策地盤の流動性を抑止し、頭部のせん断力変形に強くできる。単に第２丸太２を打設した場合と比較して、第１丸太１と第２丸太２を組み合わせた場合は、第２丸太２の地盤中での安定度が増す。
【００１４】
溝４は、幅が４０〜６０ｃｍで、深さが０．５〜１．０ｍとすることができる。丸太打設後は、土を埋戻し十分に締め固める。これにより表層部分の液状化の進行を防止する。なお、溝４を掘って丸太が空気に触れないように丸太を地下水位以深に打設するので、腐朽防止に効果がある。
【００１５】
図３は、本発明による丸太の打設配置図（例１）であり、（Ａ）はその斜視図であり、（Ｂ）は平面図である。第１丸太１は方形に配され、２列で建物の周囲に帯状に打設される。第１丸太４本で囲まれる区画の内側に、第２丸太２が打設される。第１丸太１の頭部が、長さ方向と幅方向にロープで連結される。
【００１６】
図４は、本発明による丸太の打設配置図（例２）であり、（Ａ）はその斜視図であり、（Ｂ）は平面図である。第１丸太１は方形に配され、２列で建物の周囲に帯状に打設される。例２では、第１丸太４本で囲まれる区画の内側に、４本の第２丸太２が打設される。第１丸太１の頭部には、ロープ３が長さ方向と、幅方向と、交差する２つの斜め方向と、に掛け渡される。
【００１７】
図５は、地盤に第１丸太１と第２丸太２を建物の周囲を囲むように打設した場合の外観図である。丸太の打設配置は、図３の配置を使用しロープ３は、図示を省略した。建物の下の地盤は、水と砂を含む結合力の緩い液状化層５と、その下の非液状化層からなるとする。建物は、第１丸太１と第２丸太２で囲まれた内側に建立される。地震で液状化層５が液状化し、建物がその重量で、第１丸太１と第２丸太２を外側方向に矢印で示すように押し倒そうとするが、丸太の上部の地盤が締め固められているので、建物の沈下が抑えられる。
【産業上の利用可能性】
【００１８】
本発明は、一戸建て住宅の不等沈下を効果的に抑制することができる地盤液状化対策方法として好適である。
【符号の説明】
【００１９】
１    第１丸太
２    第２丸太
３    ロープ
４    溝
５    液状化層
６    非液状化層
Ｓ１〜Ｓ５    段階（手順）
【図１】
2014125811.tif 000003
【図２】
2014125811.tif 000004
【図３】
2014125811.tif 000005
【図４】
2014125811.tif 000006
【図５】
2014125811.tif 000007